(57)【要約】【課題】コンテンツを選択するときの操作性が良好なオーディオ・ビジュアル装置のコンテンツメニュー表示方法を提供する。【解決手段】利用可能なコンテンツのメニューを表示装置１４に表示するオーディオ・ビジュアル装置のコンテンツメニュー表示方法において、ユーザがコンテンツの選択に利用した項目を操作履歴記憶部１７に記憶しておき、次にコンテンツメニューを表示するときには、操作履歴記憶部１７を参照して、メニューに表示するコンテンツ情報の項目を自動的に変更する。【選択図】　図１
2004104599.tif 000002
【特許請求の範囲】
【請求項１】
利用可能なコンテンツのメニューを表示装置に表示するオーディオ・ビジュアル装置のコンテンツメニュー表示方法において、
ユーザの操作履歴に基づいて前記メニューに表示するコンテンツ情報の項目を自動的に変更することを特徴とするオーディオ・ビジュアル装置のコンテンツメニュー表示方法。
【請求項２】
前記メニューに表示するコンテンツ情報の項目は、前記コンテンツを提供するメディア毎に変更することを特徴とする請求項１に記載のオーディオ・ビジュアル装置のコンテンツメニュー表示方法。
【請求項３】
前記メニューに表示するコンテンツ情報の項目は、コンテンツ毎に変更することを特徴とする請求項１に記載のオーディオ・ビジュアル装置のコンテンツメニュー表示方法。
【請求項４】
前記利用可能なコンテンツは、放送系メディア及び記録系メディアにより提供されることを特徴とする請求項１乃至３のいずれか１項に記載のオーディオ・ビジュアル装置のコンテンツメニュー表示方法。
【発明の詳細な説明】
【０００１】
【発明の属する技術分野】
本発明は、利用可能なコンテンツのメニューを表示装置に表示するオーディオ・ビジュアル装置のコンテンツメニュー表示方法に関する。
【０００２】
【従来の技術】
近年、映像及び音楽等のコンテンツを種々のメディア（放送系メディア及び記録系メディア）で利用することができるようになった。例えば、ＢＳ（Ｂｒｏａｄｃａｓｔｉｎｇ　Ｓａｔｅｌｌｉｔｅ）／ＣＳ（Ｃｏｍｍｕｎｉｃａｔｉｏｎ　Ｓａｔｅｌｌｉｔｅ　）放送ではニュース、音楽、映画及びスポーツ等の番組が多数のチャンネルで放送されている。また、衛星を利用する衛星デジタルラジオ放送では、数１０〜１００程度のチャンネルから所望の番組を聴取することができる。更に、ＭＰ３（ＭＰＥＧ１　Ａｕｄｉｏ　Ｌａｙｅ３　）等のオーディオ圧縮方式で圧縮された１００以上の音楽を１枚のＣＤ−Ｒ（ＣＤ　ｒｅｃｏｒｄａｂｌｅ　）等に記録することも一般的に行われるようになった。
【０００３】
ところで、従来のオーディオ・ビジュアル装置（以下、ＡＶ装置ともいう）では、利用可能なコンテンツのメニューを表示装置に表示する場合、表示するコンテンツ情報の項目は決められている。例えばＢＳ／ＣＳ等のテレビ放送及び衛星デジタルラジオ放送では、チャンネル番号、番組名及び放送時間がわかる番組表を表示装置に表示することができる。また、ＣＤ−Ｒ等のディスクに記録された音楽を再生する場合も、ディスクに記録されている全ての曲の曲番号及び曲名を表示装置に表示している。ユーザは、メニューに表示されたこれらの情報から所望のコンテンツを選択する。
【０００４】
【特許文献１】
特開２０００−９９２３１号公報（図１１）
【０００５】
【発明が解決しようとする課題】
しかしながら、ユーザが所望の番組を選択する場合に、番組名を表示することが常に最適であるとは限らない。例えば、ユーザは、番組を番組名ではなく、出演者で認識していることも多い。また、音楽の場合もメニューに曲名を表示することが常に最適であるとは限らず、特定のアーティストの曲が聴きたいというような要望もある。
【０００６】
利用できるコンテンツの数が少ない場合は、各コンテンツの詳細な情報を１画面に全て表示することが可能である。しかし、コンテンツの数が多い場合は、各コンテンツの詳細な情報を全て表示すると１画面に収まらなくなり、全てのコンテンツを確認するためには画面を何度も切り替える操作が必要になって、操作性が著しく低下する。
【０００７】
なお、特開２０００−９９２３１号公報には、情報処理装置において、表示装置に表示する操作メニューの項目（コマンド）のうち、頻繁に使用する項目を大きなフォントで、メニューの上部にする表示方法が記載されている。しかし、この方法は、メニューに表示する項目の順番を単に変化させるものであり、ユーザの嗜好に合わせてメニューに表示するコンテンツ情報の項目を変更するものではない。
【０００８】
以上から、本発明の目的は、コンテンツを選択するときの操作性が良好なオーディオ・ビジュアル装置のコンテンツメニュー表示方法を提供することである。
【０００９】
【課題を解決するための手段】
上記した課題は、利用可能なコンテンツのメニューを表示装置に表示するオーディオ・ビジュアル装置のコンテンツメニュー表示方法において、ユーザの操作履歴に基づいて前記メニューに表示するコンテンツ情報の項目を自動的に変更することを特徴とするオーディオ・ビジュアル装置のコンテンツメニュー表示方法により解決する。
【００１０】
本発明においては、ユーザの操作の履歴を記憶しておき、その履歴に応じてメニューに表示するコンテンツ情報の項目を変更する。例えば、ユーザがコンテンツの選択に番組名ではなく出演者名を利用している場合は、出演者名で番組を表示するように、コンテンツ情報の項目を変更する。これにより、ユーザの使用状況に応じたコンテンツメニューが表示されるようになり、ユーザは所望のコンテンツを迅速かつ容易に選択することができる。
【００１１】
なお、メニューに表示するコンテンツ情報の項目は、メディア（放送系メディア及び記録系メディア等）毎に変更してもよく、コンテンツ毎に変更するようにしてもよい。
【００１２】
【発明の実施の形態】
以下、本発明の実施の形態について、添付の図面を参照して説明する。
【００１３】
（第１の実施の形態）
図１は，本発明の第１の実施の形態のコンテンツメニュー表示方法を実現するＡＶ装置のブロック図である。このＡＶ装置は、映像放送系受信部１１、ラジオ放送系受信部１２、ディスク再生部１３、表示装置１４、制御部１５、番組表記憶部１６、操作履歴記憶部１７、操作部１８及びアンプ１９により構成されている。
【００１４】
映像放送系受信部１１は、制御部１５からの信号に応じて、地上波ＴＶ（テレビ）放送及びＢＳ／ＣＳ放送等の映像系の放送（以下、ＴＶ放送という）を受信する。ラジオ放送系受信部１２は、制御部１５からの信号に応じて、ＦＭラジオ放送及び衛星デジタルラジオ放送等のラジオ放送を受信する。ディスク再生部１３は、制御部１５からの制御信号に応じて、ＣＤ−Ｒ等のディスクに記録された音楽を再生する。
【００１５】
番組表記憶部１６には、ＴＶ放送及びラジオ放送の番組表（電子番組表）が記憶される。番組表の取得方法としては、例えば放送に多重化されて送られてくる方法と、図示しない通信手段を介して所定のサーバに接続し、サーバから取得する方法とがある。制御部１５は、これらの方法により番組表を取得して、番組表記憶部１６に記憶した番組表を常に最新のものに更新する。
【００１６】
操作履歴記憶部１７は、各メディア（本実施の形態では、ＴＶ放送系メディア、ラジオ放送系メディア及び記録系メディアの３種類）毎に操作履歴を過去５回分記憶する。操作履歴の詳細は後述する。
【００１７】
操作部１８には、当該ＡＶ装置を操作するためのカーソル移動キー及びその他の操作キー等が設けられている。表示装置１４には映像放送系受信部１１で受信した映像コンテンツや、制御部１５で生成された各種メニュー画面等が表示される。また、映像放送系受信部１１、ラジオ放送系受信部１２又はディスク再生部１３から出力されたオーディオ信号はアンプ１９に送られ、アンプ１９で信号処理された後にスピーカー（図示せず）に供給される。
【００１８】
図２はＴＶ放送の番組表に含まれるコンテンツ情報の例を示す図である。この図２に示すように、ＴＶ放送の番組表には、各チャンネル毎に、放送時間（図では省略）、番組名、出演者、ジャンル及び番組内容等の情報が含まれている。
【００１９】
図３はラジオ放送の番組表に含まれるコンテンツ情報の例を示す図である。この図３に示すように、ラジオ放送の番組表には、各チャンネル毎に、放送時間（図では省略）、曲名、アーティスト名、アルバム名及びジャンル等の情報が含まれている。
【００２０】
図４はＣＤ−Ｒ等のディスクから取得されるコンテンツ情報の例を示す図である。この図４に示すように、ディスクに記憶された音楽データには、曲名、アーティスト名、アルバム名及びジャンル等の情報が付加されている。
【００２１】
以下、本実施の形態のＡＶ装置のコンテンツメニュー表示方法について、図５に示すフローチャートを参照して説明する。
【００２２】
本実施の形態のＡＶ装置では、電源を投入したとき又は所定の操作を行ったときに、図６に示すように利用するメディア（ＴＶ受信（ＴＶ放送系メディア）、ラジオ受信（ラジオ放送系メディア）及びＣＤ再生（記録系メディア））を選択する画面が表示される。ここで、ユーザは操作部１８のキーを操作して画面に表示されたカーソル２０を移動し、所望のメディアを選択する。この例では、「ＴＶ受信（ＴＶ放送系メディア）」を選択したものとする。これにより、ステップＳ１１に移行し、制御部１５は操作履歴記憶部１７を参照して、そのメディアのコンテンツ選択に利用可能なコンテンツ情報の項目のうち最も多く使用された項目を選択する。但し、初期状態では操作履歴記憶部１７には操作履歴が記憶されていないが、その場合は「番組名」が選択されるようになっている。ここでは、「番組名」が選択されたものとする。なお、操作履歴記憶部１７には、各メディア毎に、過去５回分の操作履歴を記憶する。
【００２３】
その後、ステップＳ１２に移行し、制御部１５は表示装置１４に、図７に示すようなメニューを表示する。このメニューでは、画面の左側にＴＶ放送系メディアで利用可能なチャンネルの番号と、それらのチャンネルで放送している番組の番組名が表示される。また、画面の右側には、コンテンツ選択に利用可能なコンテンツ情報の項目が表示される。この例では、コンテンツ選択に利用可能な項目として、「番組名」、「出演者」、「ジャンル」及び「内容」が存在する（図２参照）。
【００２４】
次に、ステップＳ１３に移行し、コンテンツが選択されたか否かを判定する。コンテンツの選択は、例えば図７に示す画面で操作部１８のカーソル移動キーを操作してカーソル２１を所望のチャンネル番号のところに移動し、特定のキーを押すことにより行われる。
【００２５】
ここで、図７に示すメニュー画面でユーザが「番組名」から所望の番組を認識し、チャンネル番号を選択したときには、ステップＳ１４に移行する。しかし、「番組名」で所望の番組か否かを判断できない場合は、ステップＳ１３からステップＳ１６に移行して、所望の番組か否かの判断に役立つと思われる項目を選択する。すなわち、操作部１８のカーソル移動キーを操作してカーソル２２を所望の項目のところに移動し、特定のキーを押すと、選択された項目のコンテンツ情報がチャンネル番号とともにメニューに表示される。ここでは、ユーザが「出演者」を選択したものとする。これにより、ステップＳ１７に移行して、図８に示すように、チャンネル毎に出演者名が表示される。
【００２６】
その後、ステップＳ１３に戻り、コンテンツが選択されたか否かを判定する。「出演者」でも所望の番組か否かを判断できない場合は、ステップＳ１６で他の項目を選択することができる。
【００２７】
ステップＳ１３で、ユーザがチャンネルを選択した場合、ステップＳ１４に移行して、制御部１５は操作履歴記憶部１７に記憶している操作履歴を更新する。例えば、図８に示すメニューが表示されているときにチャンネルを選択すると、操作履歴記憶部１７にはＴＶ受信（ＴＶ放送系メディア）における最新の操作履歴として、「出演者」の項目が記憶される。本実施の形態では、各メディア毎に過去５回分の操作履歴を記録し、それよりも古いデータは破棄される。
【００２８】
その後、ステップＳ１５に移行して、制御部１５は映像放送系受信部１１を制御し、選択された番組をユーザに提供する。
【００２９】
図６に示す画面で「ラジオ受信（ラジオ放送系メディア）」を選択した場合は、図９に示すようにラジオ放送受信時のメインメニューを表示する。ラジオ放送の場合、初期状態ではメインメニューに「曲名」が表示される。しかし、ユーザが曲名では所望の曲か否かを判断できない場合、ＴＶ受信時と同様に、メニューの項目を変更することができる。そして、チャンネルを選択したときのメニューの項目を操作履歴記憶部１７に記憶し、次にメインメニュー（ラジオ放送受信時のメインメニュー）を表示するときには、当該メディアの過去５回分の操作履歴からユーザがコンテンツの選択に最も多く利用した項目をメインメニューに表示する。
【００３０】
図６に示す画面で「ＣＤ再生（記録系メディア）」を選択した場合は、図１０に示すようにディスク再生時のメインメニューを表示する。ディスク再生の場合、初期状態ではメインメニューに「曲名」が表示される。しかし、ユーザが曲名では所望の曲か否かを判断できない場合、ＴＶ受信時と同様に、メニューの項目を変更することができる。そして、曲番号を選択したときのメニューの項目を、操作履歴記憶部１７に記憶し、次にメインメニュー（ディスク再生時のメインメニュー）を表示するときには、当該メディアの過去５回分の操作履歴からユーザがコンテンツの選択に最も多く利用した項目をメインメニューに表示する。
【００３１】
このように、本実施の形態では、メディア毎にメインメニューに表示するコンテンツ情報の項目をユーザの操作履歴に応じて自動的に変更するので、ユーザは所望のコンテンツを迅速かつ容易に選択することができる。
【００３２】
（第２の実施の形態）
以下、本発明の第２の実施の形態について説明する。なお、本実施の形態においてもＡＶ装置の構成は基本的に第１の実施の形態と同一であるので、図１を参照して説明する。
【００３３】
本実施の形態のおいては、電源を投入したとき又は所定の操作を行ったときに、図１１に示すように、利用可能なメディア（ＴＶ受信（ＴＶ放送系メディア）、ラジオ受信（ラジオ放送系メディア）及びＣＤ再生（記録系メディア））と、それらのメディアで提供されるコンテンツを表示する。但し、利用可能なコンテンツの数を全て表示すると１画面に収まらないので、ここでは各メディア毎にそれぞれ３つのコンテンツを表示している。カーソル２０を所望のメディアに合わせて特定のキーを操作すると、そのメディアで利用可能な全てのコンテンツを表示させることができる。
【００３４】
カーソル２０を所望のコンテンツに移動させた後、操作部１３の所定のキーを押下すると、メニューに表示されるコンテンツ情報の項目が変更される。例えば、図１１のように２３ｃｈにカーソル２０を合わせて操作部１８の所定のキーを操作すると、「番組名」に替えて、「出演者」、「ジャンル」又は「内容」の情報が表示される。ユーザが認識しやすい情報項目を選択した後に特定のキーを押すと、制御部１５はコンテンツの選択に使用した項目を操作履歴記憶部１７に記憶する。
【００３５】
そして、次にコンテンツメニューを表示装置１４に表示する際に、制御部１５は操作履歴記憶部１７に記憶している操作履歴を参照して、各メディア毎に今まで利用したコンテンツを利用回数の多いものから順に並べて表示する。このとき、操作履歴を参照してコンテンツ毎に表示項目を選択する。これにより、図１２に示すようなメニューが表示される。図１２においては、各メディア毎に利用回数の多いものから順に３つのコンテンツを表示しているが、カーソル２０を所望のメディア（ＴＶ受信（ＴＶ放送系メディア）、ラジオ受信（ラジオ放送系メディア）及びＣＤ再生（記録系メディア））の位置に移動させて操作部１３の特定のキーを押すと、そのメディアで提供される利用可能な全てのコンテンツが表示される。また、図１２では、コンテンツ毎に、メニューに表示されるコンテンツ情報の項目が操作履歴に基づいて個別に設定されている。
【００３６】
本実施の形態においては、各メディア毎に、利用可能なコンテンツを利用回数の多いものから順に並べて表示する。また、各コンテンツ毎に、メニューに表示するコンテンツ情報の項目を変更する。これにより、ユーザは、よく利用するコンテンツを迅速かつ容易に選択することができる。
【００３７】
【発明の効果】
以上説明したように、本発明によれば、ユーザの操作の履歴を記憶しておき、ユーザの操作の履歴に応じてメニューに表示するコンテンツ情報の項目を変更するので、ユーザは所望のコンテンツを迅速かつ容易に選択することができる。
【図面の簡単な説明】
【図１】図１は，本発明の第１の実施の形態のコンテンツメニュー表示方法を実現するＡＶ装置のブロック図である。
【図２】図２は、ＴＶ放送の番組表に含まれる情報の例を示す図である。
【図３】図３は、ラジオ放送の番組表に含まれる情報の例を示す図である。
【図４】図４は、ＣＤ−Ｒ等のディスクから取得される情報の例を示す図である。
【図５】図５は、第１の実施の形態のＡＶ装置のコンテンツメニュー表示方法を示すフローチャートである。
【図６】図６は、利用するメディアを選択する画面の例を示す図である。
【図７】図７は、ＴＶ受信時の初期状態におけるメインメニューの例を示す図である。
【図８】図８は、表示項目を「出演者」に変更したコンテンツメニューの例を示す図である。
【図９】図９は、ラジオ受信時の初期状態におけるメインメニューの例を示す図である。
【図１０】図１０は、ＣＤ再生時の初期状態におけるメインメニューの例を示す図である。
【図１１】図１１は、本発明の第２の実施の形態のコンテンツメニュー表示方法の初期状態のけるコンテンツメニューの例を示す図である。
【図１２】図１２は、第２の実施の形態において、ユーザの操作履歴に応じて表示項目を変更したコンテンツメニューの例を示す図である。
【符号の説明】
１１…映像放送系受信部、
１２…ラジオ放送系受信部、
１３…ディスク再生部、
１４…表示装置、
１５…制御部、
１６…番組表記億部、
１７…操作履歴記憶部、
１８…操作部、
１９…アンプ、
２０，２１…カーソル。
【図１】
2004104599.tif 000003
【図２】
2004104599.tif 000004
【図３】
2004104599.tif 000005
【図４】
2004104599.tif 000006
【図５】
2004104599.tif 000007
【図６】
2004104599.tif 000008
【図７】
2004104599.tif 000009
【図８】
2004104599.tif 000010
【図９】
2004104599.tif 000011
【図１０】
2004104599.tif 000012
【図１１】
2004104599.tif 000013
【図１２】
2004104599.tif 000014